(57)【特許請求の範囲】
【請求項１】
縦辷り出し形式の窓を備えた外周壁を有する建物と、前記外周壁に対向する対向外周壁を有する隣設建物と、からなる建物の連設構造であって、
前記外周壁は、平面視において、前記対向外周壁よりも長く、且つ前記外周壁の両端は前記対向外周壁の両端よりも外側に位置して、前方に前記対向外周壁が存在して閉鎖された閉鎖部と、前方に前記対向外周壁が存在せず開放された２つの開放部と、を有し、
前記窓は、前記開放部のうち長い側が開放されるように前記閉鎖部における前記閉鎖部の長さ方向の中心より前記開放部のうち長い側に設けられていることを特徴とする建物の連設構造。
【請求項２】
前記窓の位置は、前記対向外周壁の一方の隅角部から、前記外周壁と前記対向外周壁との間隔に等しい距離だけ離れた位置よりも奥である、請求項１に記載の建物の連設構造。
【発明の詳細な説明】
【技術分野】
【０００１】
本発明は、建物の連設構造に関する。
【背景技術】
【０００２】
日本国内の住宅建物において、外周壁に設けられる窓は、窓を開けたときの通風効果も考えて設計・配置されていることが一般的である（例えば、特許文献１参照）。
【先行技術文献】
【特許文献】
【０００３】
【特許文献１】特開平８−５３９４３号公報
【発明の概要】
【発明が解決しようとする課題】
【０００４】
しかしながら、都市部においては建物を隣接させて建てることが多く、その際、窓を設けても充分な通風効果が得られないことがある。
【０００５】
そこで、本発明は、隣り合う建物との位置関係により定まった方向に流れる風を効率よく建物内に導入することができる建物の連設構造を提供することを目的とする。
【課題を解決するための手段】
【０００６】
上記課題を解決すべく、本発明は、辷（すべ）り出し形式の窓を備えた外周壁を有する建物と、前記外周壁に対向する対向外周壁を有する隣設建物と、からなる建物の連設構造であって、
前記外周壁は、平面視において、前方に前記対向外周壁が存在して閉鎖された閉鎖部と、前方に前記対向外周壁が存在せず開放された開放部と、を有し、
前記窓は、前記開放部側が開放されるように前記閉鎖部に設けられていることを特徴とする。
【０００７】
この連設構造によれば、隣接建物間の空間を抜け、外周壁の開放部にぶつかったのち、外周壁に沿って水平方向に流れる風を、効率よく建物内に導入することができる。
【０００８】
このような連設構造において、前記窓の位置は、前記対向外周壁の一方の隅角部から、前記外周壁と前記対向外周壁との間隔に等しい距離だけ離れた位置よりも奥であってよい。こうした場合、風向が定まった位置に窓を設けるので導入効率がよい。
【０００９】
また、このような連設構造において、前記外周壁は前記対向外周壁よりも長く且つ前記外周壁の両端は前記対向外周壁の両端よりも外側に位置し、前記窓の位置は、前記外周壁と前記対向外周壁の重なり部分の中心より風上側且つ風上側が開放されていてもよい。この連設構造によると、風がぶつかり合い弱まる前に窓から室内へと外気（風）を導入でき、導入効率がよい。
【００１０】
また、本発明は、横辷り出し形式の窓を備えた外周壁を有する建物と、前記外周壁に対向する対向外周壁を有する隣設建物と、からなる建物の連設構造であって、
前記窓は、前記外周壁と前記対向外周壁との間の空間に分岐し、前記外周壁に沿って上昇あるいは下降する分岐風の風向側が開放されるように構成されていることを特徴とする。
【００１１】
この連設構造によれば、外周壁に沿って下降あるいは上昇する分岐風を効率よく建物内に導入することができる。
【００１２】
この連設構造において、前記外周壁の上端位置は、前記対向外周壁の上端位置と同等もしくはこれより低く、
前記外周壁と前記対向外周壁との間隔は、前記分岐風が、前記建物および前記隣接建物の上方を前記建物から前記隣接建物に向かって吹く風から分岐し、前記対向外周壁に沿って下降したのちに地面に沿って水平に流れ、更に前記外周壁に沿って上昇するように設定されており、
前記窓は、下部が開放され、前記外周壁に沿って上昇する分岐風を導入するよう構成されていてもよい。
【００１３】
この連設構造において、前記外周壁の上端高さは前記対向外周壁の上端高さよりも低く、前記対向外周壁の上方には庇が設けられていてもよい。このような連設構造によれば、風を下方向に導くことができる。
【００１４】
また、連設構造において、前記窓の平面的位置は、前記外周壁と前記対向外周壁とが重なる領域の中心位置近傍であってもよい。この連設構造によると、風が水平方向に拡散しにくいので導入効率がさらによい。
【００１５】
また、連設構造において、前記外周壁の上端位置は、前記対向外周壁の上端位置と同等もしくはこれより高く、
前記外周壁と前記対向外周壁との間隔は、前記分岐風が、前記建物および前記隣接建物の上方を前記隣接建物から前記建物に向かって吹く風から分岐し、前記外周壁に沿って下降するように設定されており、
前記窓は、上部が開放され、前記外周壁に沿って下降する分岐風を導入するように構成されていてもよい。
【００１６】
また、連設構造において、前記外周壁の上端高さが前記対向外周壁の上端高さよりも高く、前記窓の高さは、前記外周壁の上端から該外周壁と前記対向外周壁の高さの差の２分の１下方の位置より低くてもよい。この連設構造によれば、外周壁に沿って流れる風が下向きの成分を有するので風（外気）を効率よく導入することができる。
【００１７】
さらに、連設構造において、前記外周壁の上端高さは、前記対向外周壁の上端高さよりも高く、前記外周壁の上方には庇が設けられていてもよい。このような連設構造によれば、風を下方向に導くことができる。
【発明の効果】
【００１８】
本発明によれば、隣り合う建物との位置関係の工夫により、風を外周壁に沿って定まった方向に吹くようにするとともに、窓の形式や設置位置の工夫により風が効率よく建物内に導入される。これによれば、隣り合う建物との位置関係により定まった方向に流れる風を効率よく建物内に導入することができる。
【図面の簡単な説明】
【００１９】
【図１】本発明の第１の実施形態における建物の連設構造の平面図である。
【図２】本発明の第２の実施形態における建物の連設構造を側面からみた図である。
【図３】窓の平面的位置の一例を表す平面図である。
【図４】建物および隣接建物の間隔について説明する図である。
【図５】建物および隣接建物の高さと窓の設置高さについて説明する図である。
【図６】隣接建物の上方を吹き建物の外壁にぶつかった後の風の流れの一例を概略的に示す斜視図である。
【発明を実施するための形態】
【００２０】
以下、図面を参照しつつ本発明の実施形態について詳細に説明する（図１〜図６参照）。
【００２１】
本発明に係る建物の連設構造１０は、辷り出し形式の窓４を備えた外周壁３を有する建物１と、外周壁３に対向する対向外周壁３’を有する隣設建物１’と、からなる構造である。建物１の居室２は、外周壁３によって外部空間と区画されている。
【００２２】
なお、図中で示しているのは建物のすべてではなくその一部のみであるが、符号１または１’によって当該建物（の一部）を示している。また、隣接する建物あるいはその外周壁を表す符号に「’」を付け、対象とする建物と区別している（図１等参照）。
【００２３】
＜第１の実施形態＞
図１に示す連設構造１０において、建物１の外周壁３には、窓４として縦辷り出し窓（回動軸が鉛直方向である辷り出し窓）が設けられている。本実施形態では、この窓４と同一面の外周壁３に沿って流れる気流を、この窓４を通じて居室２内へと効率よく導き入れるようにしている（図１参照）。
【００２４】
この建物１における外周壁３は、平面視において、前方（隣接建物１’を向く側であり、図１中では下向き）に対向外周壁３’が存在して閉鎖された閉鎖部３ａ１と、前方に対向外周壁３’が存在せず開放された開放部３ａ２とを有している。窓４は、閉鎖部３ａ１の範囲に配置されており、尚かつ、開放部３ａ２側が開放されるように設けられている（図１参照）。
【００２５】
この連設構造１０によれば、隣接建物１’の脇や上の空間を抜け、当該建物１の外周壁３の開放部３ａ２にぶつかったのち、外周壁３に沿って水平方向に流れる風を、効率よく建物１内に導入することができる。
【００２６】
また、このような連設構造１０において、窓４の位置は、対向外周壁３’の一方（本実施形態の場合、風上となる側）の隅角部（別言すれば、閉鎖部３ａ１と開放部３ａ２の境界に対応した位置）３ｂ’から、外周壁３と対向外周壁３’との間隔ｄに等しい距離だけ離れた位置より奥であることが好ましい（図１参照）。つまり、閉鎖部３ａ１と開放部３ａ２の境界位置から窓４までの距離をｄよりも大きくする。こうした場合、風向が定まった位置に窓４が設置されることになるので外気の導入効率がよい。
【００２７】
また、本実施形態の連設構造１０において、外周壁３の幅は対向外周壁３’の幅よりも長く、尚かつ、外周壁３の両端は対向外周壁３’の両端よりも幅方向が外側に位置した形態であり、窓４の位置は、外周壁３と対向外周壁３’の重なり部分の中心より風上側であって、しかも風上側が開放されるように設けられている（図１参照）。この連設構造１０によると、風がぶつかり合い弱まる前に窓４から居室２内へと外気（風）を導入でき、導入効率がよい。
【００２８】
また、隣接建物１’に隣接する別の建物１”があり、隣接建物１’と別の建物１”の隙間を通過した風が建物１の外周壁３にぶつかる構造となっている場合、隣接建物１’と別の建物１”の隙間の幅（開き寸法）は１０００ｍｍ以上であることが望ましい。
【００２９】
＜第２の実施形態＞
図２に示す連設構造１０において、建物１の外周壁３には、窓４として横辷り出し窓（回動軸が水平方向である辷り出し窓）が設けられている。本実施形態では、この窓４と同一面の外周壁３に沿って流れる気流を、この窓４を通じて居室２内へと効率よく導き入れるようにしている（図２参照）。
【００３０】
建物１および隣接建物１’の上空で風が吹いた場合、風の一部が隣接建物１’の対向外周壁３’にぶつかり、本流から分岐し、対向外周壁３’に沿って下側に潜り込むように流れることがある（図２参照）。さらに、この風は、建物１および隣接建物１’の空間（地面に道路が設けられている場合もある）Ｓを流れ、建物１の外周壁３にぶつかり、当該外周壁３に沿って上昇することがある（図２参照）。
【００３１】
本実施形態の連設構造１０においては、建物１の外周壁３の上端位置が、隣接建物１’の対向外周壁３’の上端位置と同等もしくはこれよりも低くなっている（図２参照）。また、外周壁３と対向外周壁３’との間隔ｄ（空間Ｓの幅と等しい場合がある）は、分岐風が、建物１および隣接建物１’の上方を建物１から隣接建物１’に向かって吹く風から分岐し、対向外周壁３’に沿って下降したのちに地面Ｇに沿って水平に流れ、更に外周壁３に沿って上昇するように設定されており、窓４は、下部が開放され、外周壁３に沿って上昇する分岐風を導入するよう構成されている（図２参照）。本実施形態では、このように空間Ｓに向けて分岐し、外周壁３に沿って上昇する分岐風の風向側（すなわち下側）が開放されるように窓４を設置し、これにより、建物１および隣接建物１’の間の空間Ｓにおいて回り込む風を捉えて効率よく外気を建物１（の例えば居室２）内へと導入することを可能としている。
【００３２】
なお、このような連設構造１０において、隣接建物１’の対向外周壁３’の上方に庇が設けられていてもよい（図２参照）。このような連設構造１０によれば、風を下方向に多く導き、空間Ｓに回り込む分岐風の風量を増やすことができる。
【００３３】
また、このような連設構造１０において、窓４の平面的位置（上方から見た場合の窓４の配置）は、外周壁３と対向外周壁３’とが重なる領域の中心位置近傍であることが好適である（図３参照）。こうした場合は、風が水平方向に拡散しにくいので導入効率がさらによくなる。
【００３４】
このような連設構造１０である場合に、本実施形態では、外周壁３と対向外周壁３’との間隔ｄを以下のように設定している。すなわち、建物１および隣接建物１’の上方を隣接建物１’から建物１に向かって吹く風から分岐した風が、建物１の外周壁３に沿って下降するように間隔ｄを設定している（図４参照）。さらに、外周壁３の窓４については、上部を開放して、当該外周壁３に沿って下降する分岐風を導入するように構成している（図４参照）。
【００３５】
このような連設構造１０によれば、空間Ｓに向けて分岐し、外周壁３に沿って下降する分岐風を効率よく建物１内に導入することができる。
【００３６】
なお、空間Ｓに向けて分岐した風が、地面Ｇに到達した後に上昇せず外周壁３および対向外周壁３’に沿って水平方向に流れる場合があることはいうまでもない（図６参照）。風の分岐量や分岐風のその後の流れは、気温、天候などの条件によって変わりうる。
【００３７】
また、連設構造１０において、建物１の外周壁３の上端高さ（図５において符号ｈａで表す）が隣接建物１’の対向外周壁３’の上端高さ（図５において符号ｈｂで表す）よりも高い場合に、窓４の高さを、外周壁３の上端から該外周壁３と対向外周壁３’の高さの差（ｈａ−ｈｂ）の２分の１（（ｈａ−ｈｂ）／２）下方の位置より低くすることは好適な形態の一例である（図５参照）。別言すれば、図５中において実線で矢示する範囲内の高さに窓４を設置した連設構造１０においては、外周壁に沿って流れる風が下向きの成分を有するので、風（外気）を効率よく導入することができる（図５、図６参照）。
【００３８】
なお、図５において、隣接建物１’の対向外周壁３’よりも突出した範囲においては、窓４の障子（ガラス）の外側面が風のうち外周壁３に対し直交する成分（外周壁３で向きを変えず窓３に接進入する成分）を遮る恐れがある。また、符号Ｌで表す矢印の範囲では下降してきた風が地面近傍で横方向に向きを変えるので下向きの成分が弱まりやすい。従って、窓４は対向外周壁３’の高さｈｂの２分の１（Ｈｂ／２）より高く、且つ対向外周壁３’の高さＨｂよりも低く設定するのがより好ましい。（図５、図６参照）。また、窓４は、平面視において、隣接建物１’の対向外周壁３’の幅の範囲内に設けられていることが必須である。
【００３９】
さらに、このような連設構造１０においては、上端高さが対向外周壁３’よりも高い外周壁３の上方（上端あるいはその近傍）に庇３ｃが設けられていてもよい（図５参照）。このような連設構造１０によれば、風を下方向に導きやすくなる。
【００４０】
なお、上述の実施形態は本発明の好適な実施の一例ではあるがこれに限定されるものではなく本発明の要旨を逸脱しない範囲において種々変形実施可能である。例えば、上述した実施形態においては、外周壁３に設けられた辷り出し形式の窓４について種々の例を挙げつつ説明したが、この窓４の具体例が特に限定されることはなく、開き角度が調整でき外周壁に沿って流れる風の方向を変え、居室内に導くことができる窓であればよく、例えば、ヒンジ（蝶番）を回動軸として開く形式の窓（左右の一方を軸として他方が開く片開き窓、下端を軸として上端側が開く上開き窓、上端を軸として下端側が開く下開き窓）であってもよい。また、ガラス障子を備えたガラス窓であってもよいし、ガラス以外の素材を含む窓であってもよい。
【産業上の利用可能性】
【００４１】
本発明は、辷り出し形式の窓を備えた外周壁を有する建物と、外周壁に対向する対向外周壁を有する隣設建物とからなる連設構造に適用して好適である。
【符号の説明】
【００４２】
１…建物
１’…隣接建物
３…外周壁
３ａ１…閉鎖部
３ａ２…開放部
３ｃ…庇
３’…（隣接建物の）対向外周壁
３ｂ’…（隣接建物の）隅角部
３ｃ’…庇
４…辷り出し形式の窓
１０…建物の連設構造
ｄ…外周壁３と対向外周壁３’との間隔
Ｇ…地面
Ｓ…建物１および隣接建物１’の間の空間
【図１】
0006437240.tif 000002
【図２】
0006437240.tif 000003
【図３】
0006437240.tif 000004
【図４】
0006437240.tif 000005
【図５】
0006437240.tif 000006
【図６】
0006437240.tif 000007